(57)【要約】【課題】紫外光の照射効率を高めた水処理装置を提供する。【解決手段】水処理装置１０は、第１端部２１から第２端部２２に向けて軸方向に延在する外管２０と、外管２０の内部に配置され、軸方向に延在する内管３０と、外管２０と内管３０の間に配置され、外管３０に対する内管２０の径方向の変位を防止する規制部材と、を有する二重管構造ユニット１２と、外管２０の第１端部２１の開口を液密に塞ぐように配置され、内管３０の内部を流れる被処理水に向けて軸方向に紫外光を照射する光源ユニット１４と、を備える。内管３０は、光源ユニット１４との間に設けられる隙間７６を挟んで光源ユニット１４と対向する対向端部３１と、対向端部３１の反対側に位置し、被処理水が流入する流入端部３２と、を有する。外管２０は、外管２０の外周面２３に設けられる流出口２６を有し、隙間７６を通って内管３０の内から外へ流れた被処理水が流出口２６から流出する。【選択図】図１
2018069166.tif 000002
【特許請求の範囲】
【請求項１】
第１端部から第２端部に向けて軸方向に延在する外管と、前記外管の内部に配置され、前記軸方向に延在する内管と、前記外管と前記内管の間に配置され、前記外管に対する前記内管の径方向の変位を防止する規制部材と、を有する二重管構造ユニットと、
前記外管の前記第１端部の開口を液密に塞ぐように配置され、前記内管の内部を流れる被処理水に向けて前記軸方向に紫外光を照射する光源ユニットと、を備え、
前記内管は、前記光源ユニットとの間に設けられる隙間を挟んで前記光源ユニットと対向する対向端部と、前記対向端部の反対側に位置し、被処理水が流入する流入端部と、を有し、
前記外管は、前記外管の外周面に設けられる流出口を有し、前記隙間を通って前記内管の内から外へ流れた被処理水が前記流出口から流出することを特徴とする水処理装置。
【請求項２】
前記規制部材は、前記外管の前記第２端部と前記内管の流入端部の間を塞ぐように配置されるインローフランジを含むことを特徴とする請求項１に記載の水処理装置。
【請求項３】
前記規制部材は、前記第２端部より前記第１端部に近い位置で前記外管の内周面から前記内管の外周面に向けて径方向に延在するロックピンを含むことを特徴とする請求項１または２に記載の水処理装置。
【請求項４】
前記隙間は、前記軸方向の寸法が３ｍｍ以上３０ｍｍ以下であることを特徴とする請求項１から３のいずれか一項に記載の水処理装置。
【請求項５】
前記外管の内直径と前記内管の外直径との差が１０ｍｍ以上５０ｍｍ以下であることを特徴とする請求項１から４のいずれか一項に記載の水処理装置。
【請求項６】
前記流出口は、前記第１端部より前記第２端部に近い位置に設けられることを特徴とする請求項１から５のいずれか一項に記載の水処理装置。
【請求項７】
前記光源ユニットは、紫外光を発する発光素子と、前記発光素子を冷却する水冷機構とを有し、前記水冷機構は、前記外管の外周面に設けられる取水口から冷却水が供給されるよう構成され、
前記取水口は、前記内管を挟んで前記流出口とは径方向反対側の位置に設けられることを特徴とする請求項１から６のいずれか一項に記載の水処理装置。
【請求項８】
請求項１から７のいずれか一項に記載の水処理装置を用いる水処理方法であって、
前記流入端部から流入して前記内管の内部を前記軸方向に流れる被処理水に紫外光を照射し、紫外光が照射された被処理水を前記流出口から流出させる工程を備え、
前記水処理装置を通過する際の圧力損失が５ｋＰａ以上２０ｋＰａ以下となるように被処理水が供給されることを特徴とする水処理方法。
【発明の詳細な説明】
【技術分野】
【０００１】
本発明は、水処理装置に関し、特に、被処理水に紫外光を照射する技術に関する。
【背景技術】
【０００２】
紫外光には殺菌能力があることが知られており、医療や食品加工の現場などでの殺菌処理に紫外光を照射する装置が用いられている。また、被処理水に紫外光を照射することで、被処理水を連続的に殺菌する装置も用いられている。このような装置として、例えば、被処理水の流れの方向に対して直交する方向に紫外光を照射する装置が挙げられる（例えば、特許文献１参照）。
【先行技術文献】
【特許文献】
【０００３】
【特許文献１】特開２０１４−２３３６４６号公報
【発明の概要】
【発明が解決しようとする課題】
【０００４】
被処理水の流れの方向に直交して紫外光を照射する構成の場合、被処理水に十分な作用量を与えるためには流れ方向に沿って光源を並べる必要があり、効率的に紫外光を照射することができなかった。
【０００５】
本発明はこうした課題に鑑みてなされたものであり、その例示的な目的のひとつは、被処理水への紫外光照射効率を高めた水処理装置を提供することにある。
【課題を解決するための手段】
【０００６】
本発明のある態様の水処理装置は、第１端部から第２端部に向けて軸方向に延在する外管と、外管の内部に配置され、軸方向に延在する内管と、外管と内管の間に配置され、外管に対する内管の径方向の変位を防止する規制部材と、を有する二重管構造ユニットと、外管の第１端部の開口を液密に塞ぐように配置され、内管の内部を流れる被処理水に向けて軸方向に紫外光を照射する光源ユニットと、を備える。内管は、光源ユニットとの間に設けられる隙間を挟んで光源ユニットと対向する対向端部と、対向端部の反対側に位置し、被処理水が流入する流入端部と、を有する。外管は、外管の外周面に設けられる流出口を有し、隙間を通って内管の内から外へ流れた被処理水が流出口から流出する。
【０００７】
この態様によると、内管の内部において被処理水の流れ方向に沿って紫外光が照射されるため、紫外光の照射方向に被処理水が流れる時間にわたって紫外光を作用させることができる。これにより、被処理水の流れ方向と直交して紫外光を照射する場合よりも効率的に紫外光を照射できる。また、流路を二重管構造とし、内管と光源ユニットの間の隙間を通って内管の内から外へ被処理水が流れ出るようにすることで、内管の内部での被処理水の流れを整流化できる。これにより、被処理水の全体に紫外光を均一に作用させ、水処理の効果を高めることができる。さらに、外管に対する内管の径方向の変位を防止する規制部材を設けることで、軸方向に長い二重管構造を採用する場合であっても、外管と内管の間の流路幅が一定に維持されるようにし、被処理水の流れを整えることができる。
【０００８】
規制部材は、外管の第２端部と内管の流入端部の間を塞ぐように配置されるインローフランジを含んでもよい。
【０００９】
規制部材は、第２端部より第１端部に近い位置で外管の内周面から内管の外周面に向けて径方向に延在するロックピンを含んでもよい。
【００１０】
隙間は、軸方向の寸法が３ｍｍ以上３０ｍｍ以下であってもよい。
【００１１】
外管の内直径と内管の外直径との差が１０ｍｍ以上５０ｍｍ以下であってもよい。
【００１２】
流出口は、第１端部より第２端部に近い位置に設けられてもよい。
【００１３】
光源ユニットは、紫外光を発する発光素子と、発光素子を冷却する水冷機構とを有し、水冷機構は、外管の外周面に設けられる取水口から冷却水が供給されるよう構成され、取水口は、内管を挟んで流出口とは径方向反対側の位置に設けられてもよい。
【００１４】
本発明の別の態様は、水処理装置を用いる水処理方法である。この方法は、流入端部から流入して内管の内部を軸方向に流れる被処理水に紫外光を照射し、紫外光が照射された被処理水を流出口から流出させる工程を備え、水処理装置を通過する際の圧力損失が５ｋＰａ以上２０ｋＰａ以下となるように被処理水が供給される。
【００１５】
この態様によると、圧力損失が５ｋＰａ以上２０ｋＰａ以下となるようにすることで、内管の内部における被処理水の流れを整流化することができる。これにより、被処理水の全体に紫外光を均一に作用させて水処理の効果を高めることができる。
【発明の効果】
【００１６】
本発明によれば、紫外光照射効率を高めて水処理能力を向上させることができる。
【図面の簡単な説明】
【００１７】
【図１】実施の形態に係る水処理装置の構成を概略的に示す断面図である。
【発明を実施するための形態】
【００１８】
以下、図面を参照しながら、本発明を実施するための形態について詳細に説明する。なお、説明において同一の要素には同一の符号を付し、重複する説明を適宜省略する。
【００１９】
（第１の実施の形態）
図１は、実施の形態に係る水処理装置１０の構成を概略的に示す図である。水処理装置１０は、二重管構造ユニット１２と、光源ユニット１４と、導入管１６とを備える。二重管構造ユニット１２は、外管２０と、内管３０とを有する。水処理装置１０は、内管３０の内部を流れる被処理水に向けて紫外光を照射して殺菌処理を施すための装置である。
【００２０】
本明細書では、内容の理解を助けるために、外管２０および内管３０の長手方向を「軸方向」と呼ぶことがある。例えば、図１において、中心軸Ａに平行な方向が軸方向である。また、軸方向に直交する方向を径方向と呼び、軸方向を包囲する方向を周方向と呼ぶことがある。
【００２１】
外管２０は、円筒形状を有し、第１端部２１から第２端部２２に向けて軸方向に延在する。第１端部２１および第２端部２２には、外管２０の外周面２３から径方向外側に延びるフランジが設けられる。外管２０は、樹脂材料や金属材料で構成され、例えば、ステンレス鋼で構成される。ある実施例において、外管２０の軸方向の長さは、約４００ｍｍであり、外管２０の内周面２４の直径は、約４００ｍｍである。
【００２２】
外管２０の外周面２３には、流出口２６および取水口２８が設けられる。流出口２６は、第１端部２１と第２端部２２の間の位置に設けられる。取水口２８は、内管３０を挟んで流出口２６とは径方向反対側の位置に設けられる。例えば、水処理装置１０を設置した状態において、流出口２６が鉛直上側に配置され、取水口２８が鉛直下側に配置される。なお、圧力損失の均一化の観点から、流出口２６および取水口２８は、第１端部２１と第２端部２２の間の中央部または中央部より第２端部２２に近い位置に設けられることが好ましい。なお、流出口２６および取水口２８の位置を変えても圧力損失の均一性にそれほど影響がないような流路構造の場合、流出口２６および取水口２８を第２端部より第１端部２１に近い位置に設けてもよい。
【００２３】
内管３０は、円筒形状を有し、対向端部３１から流入端部３２に向けて軸方向に延在する。内管３０は、外管２０の内部に配置され、好ましくは、外管２０と同軸となるように配置される。内管３０は、紫外光の反射率および耐久性が高い材料で構成され、例えば、ＰＴＦＥ（ポリテトラフルオロエチレン）などのフッ素系樹脂で構成される。ある実施例において、内管３０の軸方向の長さは、約４００ｍｍであり、内管３０内周面３４の直径は、約３５０ｍｍである。
【００２４】
流入端部３２には、内管３０の外周面３３から径方向外側に延びるフランジが設けられる。一方、対向端部３１にはフランジが設けられていない。対向端部３１は、光源ユニット１４の窓部材４２との間に設けられる隙間７６を挟んで窓部材４２と対向する。つまり、対向端部３１と窓部材４２の間は、隙間７６の寸法だけ軸方向に離れている。隙間７６は、対向端部３１の全周にわたって設けられ、対向端部３１と窓部材４２の間の軸方向の距離（つまり、隙間７６の寸法）が全周にわたって均一となるように設けられている。隙間７６の軸方向の寸法は、３ｍｍ以上３０ｍｍ以下であることが好ましく、ある実施例において約１０ｍｍである。
【００２５】
二重管構造ユニット１２は、さらにインローフランジ３６を有する。インローフランジ３６は、外管２０と内管３０の間に配置される規制部材であり、外管２０に対する内管３０の径方向の変位を規制する。インローフランジ３６は、外管２０の第２端部２２と内管３０の流入端部３２の間を塞ぐように配置され、第２端部２２のフランジと流入端部３２のフランジの間に挟み込まれて固定される。第２端部２２のフランジとインローフランジ３６の間には、Ｏリングが設けられる。図示する例では、内管３０とインローフランジ３６が別体として形成されているが、変形例では内管３０とインローフランジ３６が一体的に形成されていてもよい。例えば、内管３０の流入端部３２に外管２０の内周面２４と当接する段差部が形成されてもよい。
【００２６】
二重管構造ユニット１２は、さらにロックピン３８を有する。ロックピン３８は、外管２０と内管３０の間に配置される規制部材であり、外管２０に対する内管３０の径方向の変位を規制する。ロックピン３８は、外管２０の内周面２４から内管３０の外周面３３に向けて径方向に延在する部材である。ロックピン３８は、周方向に異なる複数箇所に設けられ、例えば、周方向に等間隔に配置される。ロックピン３８は、第２端部２２よりも第１端部２１に近い位置に設けられることが好ましい。第１端部２１に相対的に近い位置に設けることにより、内管３０の対向端部３１の径方向の変位を好適に防止できる。
【００２７】
なお、変形例においては、インローフランジ３６とロックピン３８の一方のみが設けられてもよい。また、インローフランジ３６とロックピン３８の双方が設けられなくてもよい。後者の場合、インローフランジ３６およびロックピン３８とは異なる構造の規制部材が設けられてもよい。
【００２８】
光源ユニット１４は、複数の発光素子４０と、窓部材４２と、窓枠４４と、水冷機構５０とを有する。光源ユニット１４は、外管２０の第１端部２１に取り付けられ、第１端部２１の開口を液密に塞ぐように配置される。光源ユニット１４は、内管３０の内部を流れる被処理水に向けて対向端部３１から流入端部３２に向けて軸方向に紫外光を照射する。
【００２９】
発光素子４０は、いわゆるＵＶ−ＬＥＤ（Ultra Violet-Light Emitting Diode）であり、中心波長またはピーク波長が約２００ｎｍ〜３５０ｎｍの範囲に含まれる深紫外光を出力する。発光素子４０は、殺菌効率の高い波長である２６０ｎｍ〜２７０ｎｍ付近の紫外光を発することが好ましい。このような紫外光ＬＥＤとして、例えば、窒化アルミニウムガリウム（ＡｌＧａＮ）を用いたものが知られている。複数の発光素子４０は、水冷機構５０に取り付けられている。複数の発光素子４０は、軸方向と直交する面内に配置され、実装される面内において径方向および周方向に並べられている。
【００３０】
窓部材４２は、内管３０の対向端部３１と複数の発光素子４０の間の位置に配置され、外管２０の第１端部２１の開口を塞ぐように配置される。窓部材４２は、発光素子４０からの紫外光の透過率が高い材料で構成され、例えば、石英ガラス（ＳｉＯ２）で構成される。窓部材４２は、円板形状を有する。ある実施例において、窓部材４２の直径は、約４２０ｍｍであり、厚さは約４０ｍｍである。窓部材４２の外周には窓枠４４が設けられ、窓部材４２は窓枠４４に固定されている。窓部材４２と窓枠４４の間には、液密にするためのＯリングが設けられる。
【００３１】
窓枠４４は、内側窓枠４５と、外側窓枠４６とを有し、内側窓枠４５と外側窓枠４６の間に窓部材４２が挟み込まれて固定される。窓枠４４は、ステンレス鋼などの金属材料で構成される。内側窓枠４５は、第１端部２１と窓部材４２の間に位置し、二重管構造ユニット１２の内部を流れる被処理水と接触する。第１端部２１と内側窓枠４５の間にＯリングが設けられる。外側窓枠４６は、窓部材４２と水冷機構５０の間に位置する。窓枠４４は、ボルトとナット等を用いた締結部材４８により第１端部２１に固定される。締結部材４８は、第１端部２１のフランジ、内側窓枠４５および外側窓枠４６を貫通する取付孔に挿通され、第１端部２１、内側窓枠４５および外側窓枠４６を挟み込んで固定する。
【００３２】
水冷機構５０は、取水口２８から供給される冷却水を用いて発光素子４０を冷却する。水冷機構５０は、冷却水供給口５２と、冷却水排出口５４とを有する。冷却水供給口５２は、冷却水供給管５６を介して取水口２８と接続されており、二重管構造ユニット１２を流れる被処理水の一部が冷却水として冷却水供給口５２に供給される。水冷機構５０は、発光素子４０と熱的に接続されるヒートシンク（不図示）と、ヒートシンクと熱的に接続される冷却水循環用の内部配管（不図示）とを有する。内部配管を通った冷却水は、冷却水排出口５４に接続される冷却水排出管５８を通じて外部に排出される。水冷機構５０は、外側窓枠４６に取り付けられる。
【００３３】
導入管１６は、漏斗状の部材であり、導入端部６１から接続端部６２に向けて徐々に口径が大きくなる形状を有する。導入管１６は、ステンレス鋼などの金属材料で構成される。導入端部６１および接続端部６２には、径方向外側に延在するフランジが設けられる。接続端部６２は、内管３０の流入端部３２に接続される。接続端部６２は、導入管１６から内管３０へ被処理水がスムーズに流れるように内管３０と同じ内径を有する。導入端部６１には、被処理水を供給するための配管が接続される。導入端部６１は、接続先の配管と内径が同じとなるように構成される。導入管１６は、口径の異なる配管と内管３０の間を接続し、流入端部３２から内管３０の内部に流入する被処理水の流れが整流化されるようにする。
【００３４】
導入管１６は、締結部材６４により二重管構造ユニット１２に固定される。締結部材６４は、第２端部２２のフランジ、インローフランジ３６、流入端部３２のフランジ、及び、接続端部６２のフランジを貫通する取付孔に挿通され、これらの部材を挟み込んで固定する。これにより、内管３０の径方向の位置がインローフランジ３６により規制され、内管３０の径方向の変位が防止される。
【００３５】
以上の構成による水処理装置１０の動作について説明する。被処理水は、導入端部６１から導入され、導入管１６の内部の導入流路７２及び内管３０の内部の内側流路７４を通って光源ユニット１４に向けて軸方向に流れる。光源ユニット１４は、内側流路７４を通る被処理水に向けて紫外光を軸方向に照射する。紫外光が照射された被処理水は、光源ユニット１４と対向端部３１の間の隙間７６を通って内管３０の内から外へ流れ、外管２０と内管３０の間の外側流路７８を通って流出口２６から流出する。被処理水の一部は、取水口２８から冷却水供給管５６を通って水冷機構５０に供給され、複数の発光素子４０の冷却に用いられる。用いられた冷却水は、冷却水排出口５４から外部へ排出される。
【００３６】
水処理装置１０を用いる水処理方法は、流入端部３２から流入して内管３０の内部を軸方向に流れる被処理水に紫外光を照射し、紫外光が照射された被処理水を流出口２６から流出させる工程を含む。このとき、水処理装置１０を通過する際の圧力損失が５ｋＰａ以上２０ｋＰａ以下となるように被処理水が供給される。圧力損失がこのような範囲内となるように被処理水を供給することで、水処理装置１０の内部における被処理水の流れを整流化して、被処理水の全体に均一に紫外光を照射することができる。
【００３７】
つづいて、本実施の形態が奏する効果について説明する。本実施の形態によれば、内管３０の内部を流れる被処理水に向けて流れ方向に沿って紫外光を照射するため、被処理水が軸方向に流れる時間にわたって紫外光を作用させることができる。仮に、流れ方向と直交する方向に紫外光を照射した場合、紫外光の照射範囲を通過するわずかな時間しか紫外光を作用させることができない。この場合、作用量を高めるためには光源を流れ方向に並べるなどして紫外光の照射範囲を流れ方向に長くする必要が生じる。一方、本実施の形態では、流れ方向と対向する位置に光源ユニット１４を設けるだけで流れ方向に長い作用長を確保できる。したがって、本実施の形態によれば、流路の端部に設けられる光源からの紫外光を効率的に被処理水に作用させることができる。
【００３８】
本実施の形態によれば、内管３０の材料としてＰＴＦＥなどのフッ素系樹脂を用いることで、内管３０の外周面２３および内周面２４への汚れの付着を防ぐことができる。また、ＰＴＦＥは、紫外光の反射率が高い材料であるため、光源ユニット１４からの紫外光を内周面２４で反射させながら軸方向に伝搬させることができる。これにより、紫外光反射率の低い材料で内管３０を構成する場合と比べて、被処理水に作用する紫外光量を増やすことができる。これにより、水処理能力を向上させることができる。
【００３９】
本実施の形態によれば、対向端部３１の全周にわたって設けられる隙間７６を通って内管３０の内から外へ被処理水が流れる構成としているため、被処理水の全体としての流れを均一化させることができる。仮に、内管３０の内から外へ流れ出るための流路が周方向の一部のみに設けられたり、周方向に非対称に設けられたりする場合、流路構造の非対称性によって被処理水の流れに乱れが生じ、流速分布に偏りが生じうる。紫外光の作用量は、被処理水が内管３０を流れる時間、つまり、流速に関連するため、流速分布に偏りが生じてしまうと部分的に照射量が不足してしまう。本実施の形態によれば、被処理水の流速分布を均一化できるため、紫外光の照射量も均一化できる。これにより、被処理水の全体に対して十分な殺菌処理を施すことができる。
【００４０】
本実施の形態によれば、光源ユニット１４と対向端部３１の隙間７６の寸法を３ｍｍ以上３０ｍｍ以下とすることにより、上述したような整流効果を好適に得ることができる。また、流出口２６が設けられる位置を第１端部２１から軸方向に１０ｍｍ以上１００ｍｍ以下の範囲内で離れた位置とすることにより、水処理装置１０の内部の圧力損失を均一化させることができる。同様にして、取水口２８を流出口２６とは径方向反対側の位置に設けることで、流路構造の対称性を高め、圧力損失がより均一となるようにできる。
【００４１】
本実施の形態によれば、インローフランジ３６やロックピン３８などの規制部材を設けることで、内管３０の変位を好適に防止できる。被処理水の流量が大きい場合、被処理水の流入による流体エネルギーに起因して内管３０が振動し、外管２０と内管３０の間隔、つまり、外側流路７８の流路幅が変動することが考えられる。外側流路７８の流路幅が変動すると、圧力損失が不均一となって処理能力が低下するおそれがある。本実施の形態によれば、規制部材により内管３０の振動を防止し、外側流路７８の流路幅を一定に維持することができるため、圧力損失を均一に維持することができる。
【００４２】
以上、本発明を実施の形態にもとづいて説明した。本発明は上記実施の形態に限定されず、種々の設計変更が可能であり、様々な変形例が可能であること、またそうした変形例も本発明の範囲にあることは、当業者に理解されるところである。
【符号の説明】
【００４３】
１０…水処理装置、１２…二重管構造ユニット、１４…光源ユニット、２０…外管、２１…第１端部、２２…第２端部、２３…外周面、２４…内周面、２６…流出口、２８…取水口、３０…内管、３１…対向端部、３２…流入端部、３３…外周面、３４…内周面、３６…インローフランジ、３８…ロックピン、４０…発光素子、５０…水冷機構、７６…隙間。
【図１】
2018069166.tif 000003